(57)【特許請求の範囲】
【請求項１】
刺入部材の貫通が可能である基材が磁石体を備え、前記磁石体が刺入部材頭部に貼りつくことで固定する刺入部材補助具において、前記基材に刺入部材頭部を収納出来るくぼみ穴を備えたことを特徴とする刺入部材補助具。
【請求項２】
前記基材が折曲部及び又は柔軟性（可撓性を含む）を備えたことを特徴とする請求項１記
載の刺入部材補助具。
【請求項３】
前記刺入部材針部の貫通が可能である基材の刺入部材貫通用の穴がスリットで形成されている事を特徴とする請求項１又は２記載の刺入部材補助具。
【請求項４】
前記基材の前記くぼみ穴に刺入部材を設けた場合、前記くぼみ穴が刺入部材の頭部にほぼ
沿うように形成されたことを特徴とする請求項１〜３のいずれか１項記載の刺入部材補助具。
【請求項５】
前記くぼみ穴に刺入部材が刺しこまれた際に刺入部材頭部が、くぼみ穴外側の基材部分と
ほぼ同一平面もしくは刺入部材頭部が陥没した状態になることを特徴とする請求項１〜４のいずれか１項記載の刺入部材補助具。
【請求項６】
前記基材の磁石体を備えた部分とくぼみ穴を備えた部分の間の基材の厚み及び/又は幅を
部分的に変えたことを特徴とする請求項１〜５のいずれか１項記載の刺入部材補助具。  
【請求項７】
前記磁石体が半円形や球形や多角形等の立体的であることを特徴とする請求項１〜６のいずれか１項記載の刺入部材補助具。
【発明の詳細な説明】
【技術分野】
【０００１】
掲示物やシート類を固定する刺入部材の最も代表的なものは画鋲である。又、刺入部材には前記画鋲より強固に固定する為に、日よけカバーやテント等を固定する場合はタッピンネジやドリルネジ、固定する穴がある場合はボルトネジ等を用いる、又釘を用いて打ち込む場合もある。これらの針体と頭部を備えたものの総称を刺入部材と定義する。尚、これらの針体と頭部（押圧部）を備えた刺入部材の殆どは、磁石体に吸着される性質を持つものである。本発明は、前記刺入部材を用いることでシート類（掲示物等）やテント類を傷めずに、前記シート類（掲示物等）やテント類を固定することができる刺入部材補助具に関するものである。  
【背景技術】
【０００２】
従来、掲示物を掲示する主な方法は三通りある。ひとつは代表的な刺入部材の画鋲単体で掲示物に穴を貫通させてから掲示板等に固定する方法であり、幼稚園や学校等で児童が書いた絵画画用紙を掲示板に固定する場合は、ほとんどがこの方法により行われている。二番目の方法は、マグネットボードと磁石体を使用する方法であり、三番目の方法は、セロテープ（登録商標）を用いる方法である。又、テントシート等を固定する場合においても、画鋲よりも強固に固定できる刺入部材（ネジ等）により上記の固定方法が用いられる。  
【先行技術文献】
【特許文献】
【０００３】
【特許文献１】特開2013-101293
【発明の概要】
【発明が解決しようとする課題】
【０００４】
以下において、刺入部材の代表例である画鋲を刺入部材として表記して説明するが、０００１項に記載した様に、本願発明における刺入部材とは画鋲に限定されるものではない。前記画鋲以外の刺入基材の使用例については、実施例の最後に記載する。又、刺入部材で固定するものは、掲示物、シート類、日よけカバー、テント等の様々なものがあるが、画鋲を刺入部材に用いた場合の被固定対象物である掲示物を用いて当明細書では説明する。
【０００５】
従来の掲示物を掲示板等に掲示する場合において、画鋲単体を使用する方法は、掲示物を傷めることとなり、大切な掲示物には使用できない。マグネットボードと磁石体を使用する方法では、掲示した後に、磁石体が床に落ちやすく紛失が多発する。またセロテープ（登録商標）も、大切な掲示物には使用できないという問題がある。
【０００６】
本願発明刺入部材補助具は、掲示物を傷めることなく、また、磁石体を紛失することが防止される事を第一の課題とする。この場合において、掲示物の大きさに対応できるようにして、又、掲示物の前面に露出した基材が掲示物の美観をいかに損ねないようにするかを第二の課題とする。  
【０００７】
更に、刺入部材補助具は掲示物を取り付けるにおいて、ただ単に掲示物を押し込む（容易に挟み込む）だけの簡易作業で固定できる事を第三の課題とし、掲示物の前面に露出した部分に、新たに別のアクセントを設けることをする事を第四の課題とする。
【課題を解決するための手段】
【０００８】
まず、刺入部材（以下画鋲と表記）の貫通が可能である基材が磁石体を備え、前記基材の少なくとも一方面に挟持機能部又は貼り付け機能部を備えた事を特徴とする刺入部材補助具を作成する。
【０００９】
そして、画鋲の貫通を可能にするスリットを備えた基材が、磁石体を備えた事を特徴とする刺入部材補助具を作成する。
【００１０】
又、画鋲の貫通が可能である基材が磁石体を備え、前記基材に画鋲頭部を収納できるくぼみを備えたことを特徴とする刺入部材補助具を作成する。
【００１１】
これらに加えて、前記基材が折曲部及び又は柔軟性（可撓性を含む）を備えた事を特徴とする刺入部材補助具作成する。
【００１２】
更に、前記基材の画鋲を貫通させる部分と掲示物を差し込む間の基材面に突起物を持つ事を特徴とする刺入部材補助具や、画鋲を貫通させた方向にのぼり坂のスロープを備えた事を特徴とする刺入部材補助具を作成する
【００１３】
又、前記基材が、透明性を備え持つことや、特別機能体を備え持を特徴とする項記載の刺入部材補助具を作成する。
【発明の効果】
【００１４】
本願発明器具を使用する際の一例を示すが、長方形状の基材の末端部分付近に画鋲を用いて掲示板に固定させる手段（スリットに挟み込む手段、基材自体を貫通させる手段）で、画鋲によって掲示板に固定された前記基材の末端部分の反対側にあたる前記基材の先端部分に磁石体を備えさせた場合、前記基材を二つ折りに折り返すことで、前記基材の先端部分に備えられた磁石体は、前記基材の末端部分の画鋲の頭部に貼り付き固定する。
【００１５】
これにより、二つ折りに折り返された前記基材の末端部分と前記基材の先端部分が磁力により密着固定される。この状態においては、二つ折りに折り返された部分に空間が出来る。この空間の間に掲示物等を挟み込んで、掲示板に固定することが出来る。  
【００１６】
これにより、本願発明は画鋲を使う事で、大切な掲示物を傷めることなく、掲示板に固定することができる刺入部材補助具を提供することを第一の課題が解決出来る。
【００１７】
第二の課題として掲示物の美観を損ねないという事についても考える。そこで、画鋲の貫通を可能にするスリットを備えた基材が、磁石体を備えた事を特徴とする刺入部材補助具を作成する。この効果を下記に述べる。
【００１８】
使用する際の一形態で説明するが、長方形状の基材の末端付近に備えられたスリットに画鋲を刺し込み、末端部分の反対側にあたる前記基材の先端部分の端部又は、前記基材の先端部分付近の一方面に磁石体を備えた場合、末端部分に刺し込んだ画鋲を掲示板に刺し込んで掲示板に前記基材を固定した状態で、前記基材を二つ折りに折り返すことで、前記基材の先端部分に備えられた磁石体は、末端部分の画鋲の頭部に貼り付き固定する。尚、前記基材がスリットを備えることで、前記折り返し部分の調整が出来る。これにより、前面に出る基材の露出部分の調整を行い、基材を目立たせ無くして掲示物の美観を保つ。
【００１９】
上記前記基材前面の露出調整の効果は、前記スリットが直線で単数の場合でも可能であるが、前記スリットが所定間隔をあけて複数形成する事や曲線にすることにより、００９４項の実施例１２で示すように、掲示物を取り付けるにおいて、ただ単に掲示物を押し込む（容易に挟み込む）だけの簡易作業で固定できる第３の課題を解決する効果を持つ。
【００２０】
又、スリットが有る無しに関わらず、新たに画鋲の貫通が可能である基材が磁石体を備え、前記基材の少なくとも一方面に挟持機能部又は貼り付け機能部を備えたことを特徴とする刺入部材補助具を作成する。この効果を下記に述べる。
【００２１】
一例として、前記磁石体が、前記基材の先端付近の一方面に磁石体を備えた本願発明器具の形態において、基材の反対側（磁石体の裏側）に挟持機能部を備えさせて、前記基材の末端付近に画鋲の針部を貫通させて、この針部を掲示板に刺し込んで前記基材を掲示板に固定させた場合について述べる。
【００２２】
この場合において、前記画鋲頭部が前記磁石体と同一方面になるように画鋲を掲示板に刺し込んで、前記基材を二つ折りにした場合、００１５項で述べたように掲示物を挟み込める空間が出来る。
【００２３】
この場合、前記基材の磁石体の反対側の一方面（裏側）が露出する。この露出する一方面に前記挟持機能部、又は貼り付け機能部を備えさせることで、別のアクセントを設けることが出来る。前記基材の露出部分に、名前のプレート、キャラクター、図柄等を、挟み込み又は貼り付け手段で、備えつけることで、美感が損なわれるどころか、アクセント効果で美観をかもしだすことが出来る。
【００２４】
尚、００１７項と００１８項で述べた刺入部材補助具がスリットを備えた発明と、００２０項から００２３項で述べた挟持機能部又は貼り付け機能部を備えた発明は同じように基材に磁石体を備えているが、おのおの独自の独立した効果を備えています。
【００２５】
前記００１７項と００１８項、及び００２０項から００２３項で述べた発明において、更に前記基材が折曲部及び又は柔軟性（可撓性を含む）を備えたことを特徴とする刺入部材補助具を作成する。この効果を下記に述べる。
【００２６】
００１５項において述べたように、本願発明は基材を二つ折りにすることで使用目的が達成される。基材が硬いものや厚いものの場合においても、たとえばアルミ板の様に強引な力を加えれば、折れずに二つ折りにすることは可能であるが、このような硬い素材や分厚い素材の場合は、二つ折りにする際にかなりの圧力が必要であり、一度折り返した部分は折れやすくなる欠点がある。そこで、前記基材が折曲部及び又は柔軟性（可撓性を含む）を備えたことを特徴とする刺入部材補助具を作成する。これにより、二つ折にすることが簡単にできる効果を備える。広い範囲においては柔軟性も可撓性も同じ意味である。これにより、本願発明で用いるは柔軟性とは可撓性を含む、硬くなく容易に折り曲げられるもの（合成樹脂材料、ビニール、ゴム材料、皮革、布、糸、厚紙等）を柔軟性と定義する。尚、折曲部分の一例は実施例で述べるが、折曲部は単数箇所だけでなく、複数箇所に備えても構わない。
【００２７】
前述の説明においては、掲示物を挟む場合は片手で掲示物を持ち、他方の手で刺入部材補助具を開閉しなければ掲示物を固定することが出来ない。そこで、掲示物を刺入部材補助具内に片手で滑り込ませる方法も本発明は考慮する。この手段においては、まず、画鋲の貫通が可能である基材が磁石体を備え、前記基材に画鋲頭部を収納出来るくぼみを備えたことを特徴とする刺入部材補助具を作成する。これにより刺入部材補助具に対して掲示物に圧力をかけて挟み込む場合に、画鋲に引っかからずにスムーズに片手で掲示物の挟み込み固定が可能となる。
【００２８】
又、他の手段としては基材の画鋲を貫通させる部分と掲示物を差し込む間の基材面に突起物を持つ事や、基材の画鋲を貫通させる部分と掲示物を差し込む間の基材面に基材端部から画鋲を貫通させた方向にのぼり坂のスロープを備えた事を特徴とする刺入部材補助具を作成する。この効果は００２７項と同じく刺入部材補助具に対して掲示物に圧力をかけて挟み込む場合に、画鋲に引っかからずにスムーズに片手で掲示物の挟み込み固定が可能となる。
【００２９】
そして、前記基材が、透明性を持つことを特徴とする刺入部材補助具を作成する。
【００３０】
すでに掲示板に画鋲の穴があけられていた場合は、前記基材が、透明性を持つ機能を備えた場合、刺し込む際に前記穴の位置が視認され、前記穴に画鋲の針部を正確に刺し込むことが可能になる。
【００３１】
これにより、掲示物を貼り替える場合の刺し込み作業において、従来は複数の穴が開くが、前記穴の傷跡（穴跡）しか掲示板に残さない事が容易となる。掲示物を外した場合、家庭や事務所の壁等に画鋲の跡が複数みられるような状態が見受けられるが、透明性を持つ機能を備えた刺入部材補助具を使用した場合は、このような掲示される壁面等が美観を損なう傷跡（穴跡）を残さない効果がある。
【００３２】
更に、掲示物を保持している時は、外観において、前記基材が透明性を備えることで掲示物の邪魔になりにくい。また掲示物を保持していない時でも、目立たない為、外観を損ねない。
【００３３】
又、前記基材が特別機能体を持つ刺入部材補助具（以下本願発明器具１と表記）を備え付ける効果については、特別機能体の定義も含めて、実施例７から実施例１１で説明する。
【図面の簡単な説明】
【００３４】
【図１】可撓性を有し、且つ、画鋲の貫通が可能である基材２が磁石体３を端部に備えた本願発明器具１の正面図である。
【図２】基材の一方面に磁石体が備えられた形態の本願発明器具１の正面図である。
【図３】本願発明器具１に画鋲を貫通させた際の側面図である。
【図４】本願発明器具１の基材２に画鋲針体６を貫通させてから、掲示板７に刺し込んで、二つ折りにし、掲示物８を挟持固定させた状態の側面図である。
【図５】本願発明器具１を掲示物８の４隅に４個使用した状態を示す正面図である。図４で示す手段で、画鋲針体６を用いて、本願発明器具１を掲示板７に刺し込み固定した後に、本願発明器具１を二つ折りにした場合に実現する空間アを持つ本願発明１    a、１ｂ、１ｃ、１ｄの空間アａ、アｂ、アｃ、アｄに掲示物８を挟み込んで固定した正面図である。
【図６】実施例１として、折り返し部分４ａ、４ｂを備えた本願発明器具１の正面図である。
【図７】実施例２として、画鋲を２個刺し込んで使用する場合の本願発明器具１の側面図である。
【図８】実施例３として、画鋲を２個刺し込んで使用する場合の本願発明器具１の側面図である。
【図９】実施例４として、画鋲を２個刺し込んで使用する場合の本願発明器具１の側面図である。
【図１０】実施例５として、基材２にスリット部分９を備えた本願発明器具１の正面図である。
【図１１】図１０で示す本願発明器具１を使用した状態を示す斜視図である。
【図１２】実施例７として、基材２にＣ字状スリット１１を備えた本願発明器具１の正面図である。
【図１３】基材２にＣ字状スリット１１を備えた本願発明器具１のスリットに、名前の書かれたプラスチックプレート又は紙片１４を挟持固定させた状態の正面図である。
【図１４】実施例８として、基材の磁石体の反対側の一方面に挟持機能部を備える一例としてクリップを備え、名前の書かれたプラスチックプレート又は紙片１４を挟持している状態を示す正面図である。
【図１５】実施例９として、画鋲針を貫通できる穴２０を備えた基材の磁石体の反対側の一方面に貼り付け機能部を備える一例として、吸盤１２を備え、文字の書かれたプラスチックプレート又は紙片１４を貼り付けている状態の図である。
【図１６】（ａ）貼り付け機能部を備える一例として、両面テープ保持プレート１３を備えた正面図である。尚、基材２は、くぼみ２２と画鋲針が貫通できる穴２０を備えている。  （ｂ）図１６ａで示す正面図における、Ａ〜Ａ’部分の断面図である。
【図１７】図１６の前記保持プレート１３に両面テープを貼り、マスコット１５の写真を貼り付けた状態の正面図である。尚、基材２は、画鋲針が貫通できる穴２０を複数備えている。
【図１８】実施例１０として、立体的なマスコット１５を取り付けた本願発明器具１の正面図である。
【図１９】基材２に弾性体（ゴム管、ビニール管等）を持つ筒体１８を備えた本願発明器具１及び、立体的なマスコット１５の側面図である。
【図２０】ユニバーサルジョイントを形成することが出来る突起物を備えた、本願発明器具１及び、立体的なマスコット１５の側面図である。
【図２１】実施例１１として、図２１は、磁石体３に、軸１６を刺し込む手段で基材２に磁石体３を固定させた形態の本願発明器具１の側面図である。
【図２２】スリット部分９と折り返し部分４を備えた硬化基材２の斜視図である。
【図２３】実施例１２として、図２３は、基材２に切り込み部分２１を２箇所備え、画鋲頭部５を挟持しつつ、掲示板７に画鋲を差し込んでいる状態を示す  正面図である。
【図２４】図２３の側面図である。
【図２５】切り込み部分２１に画鋲頭部５を挟持させ、基材２を折り返し、磁石体３と画鋲頭部５を吸着させている状態を示す側面図である。
【図２６】切り込み部分２１を備えていない基材２において、磁石体３と画鋲頭部５が吸着している状態において、掲示物８を下から差し込もうとしても、画鋲頭部５と基材２の間に閊えてしまっている状況を示す側面図である。
【図２７】折り返し部分４と画鋲針が貫通できる穴２０を備えた基材２の正面図である。
【図２８】折り返し部分４とスリット部分９を備えた基材２の正面図である。
【図２９】折り返し部分の厚さを薄くした基材２の側面図である。
【図３０】折り返し部分の幅を細くした基材２の正面図である。
【図３１】実施例１３としてＣの字状に突起物２３備えさせている基材２の正面図である。
【図３２】Ｃの字状に突起物２３備えさせている基材２の側面図である。
【図３３】突起物２３が画鋲頭部５の周りを円で囲んでいる基材２の正面図である。
【図３４】三方向に突起物を備えている基材２の斜視図である。
【図３５】スロープ２４を備えた基材２の斜視図である。
【図３６】スロープ２４を備えた基材２の側面図である。
【図３７】刺入部材としてネジ２５を用いて家の外壁２７に本願発明器具１を固定した場合の側面図である。
【図３８】釘２６を用いて本願発明器具１を地面に固定して、前記床シート３３を挟み込んで床シート３３の地面３０への固定した正面図、及びテント上面の側面図。
【図３９】本願発明器具１の磁石体３の基材の反対側にあたる裏側に別の基材２´を備えさせ、前記基材２´に金属体３５及び磁石体３を備えさせた側面図。
【発明を実施するための形態】
【００３５】
以下、本願発明器具１（本願発明刺入部材補助具）を実施の形態を示す図面に基づいて説明する。尚、図1から図５の本願発明器具1においては基材２が柔軟性(可撓性を含む)を備え、又、基材の全域にわたって画鋲を刺し込める特徴を備えている。この前記基材２に磁石体３を備えた形態における一般的使用方法の説明を行う。
【００３６】
図１は、柔軟性を有し、且つ、画鋲の針部６の貫通が可能である基材２が磁石体３を備えた本願発明器具１の正面図である。この形態の本願発明器具１は前記基材２の端部に磁石体３を備えている。使用方法は図３で示すように画鋲を貫通させて使用する。
尚、柔軟性を有さない折り曲げ不可能な硬い基材や厚い基材においても、図６で示すような折り曲げ部分を設けることで、容易に二つ折りが可能である。
【００３７】
図２では、前記磁石体３が、前記基材２の一方面に備えられたことを特徴とする形態の本願発明器具１を示す。図２は、本願発明器具１の正面図であり、可撓性を有する基材２とその一方面の端部分付近に磁石体３を備えたものである。以下においてはこの形態の本願発明器具１を用いて説明を行う。この様に本願発明１は安価な材料を用いてシンプルな構造により、製造コストが安価に抑えられるという利点がある。
【００３８】
基材２は、柔軟性を有した素材（合成樹脂材料、ビニール、ゴム材料、皮革、布、糸、厚紙等）を材質とし、これらは画鋲針部６を貫通させることが出来る素材であり、貫通できる薄さである。画鋲を貫通できない素材（硬い、厚い）場合は、画鋲針部６の貫通用の穴やスリットを備えればよい。尚、図２においては縦長長方形の板状であるが、横長であっても、また長方形でなく正方形や楕円形であっても構わないし、また、板状でなくとも棒状でも構わない。さらに、基材２を透過性のあるものにすることで、外観を損ねないといった効果がある。
【００３９】
磁石体３は小さくても強力なネオジム磁石が最適であると考えるが、磁力を備えていればどのような素材や形態であっても構わない。また磁石体３の数は、単数でも複数でも構わない。磁石体３の貼付位置は、基材２の外部でも内部でも、一方面でも両方面でも構わない。
【００４０】
図３においては、本願発明器具１の基材２に、画鋲を刺し入れた状態の側面図を描いている。基材２の先端付近に備えた磁石体３に対して、基材２の末端付近に画鋲針部６を貫通させたものである。尚、この画鋲頭部５は、金属製に限らず、磁性を持っておれば、何でも（例として磁石、ニッケル、コバルト、鉄、遷移金属を含む化合物）構わない。
【００４１】
図４は、本願発明器具１を使って、掲示板７に掲示物８を掲示固定している状態の側面図である。
【００４２】
図３における状態で画鋲の針部６を掲示板７に画鋲頭部５を押圧して刺し込んだ後、基材２の中央を内側に二つ折りにする。基材２の上部が二つ折り部分により閉鎖され、下部は画鋲頭部５に磁石体３が磁力吸着固定するので、前記基材２の上部内面に空間アを備え、下部内面が閉じられるので、掲示物８を前記空間アに挟んで、画鋲頭部５を磁石体３により磁力吸着固定することで、前記基材の下部内面が閉じられるので、前記掲示物８は前記基材２により挟持固定が可能となる。
【００４３】
図５は、掲示物の四隅を挟持固定する為に、４個の本願発明器具１ａ、１ｂ、１ｃ、１ｄを使用し、画用紙等の掲示物８を掲示板７に固定した状態の正面図である。磁石体３ａ、３ｂ、３ｃ、３ｄは、露出している基材２ａ、２ｂ、２ｃ、２ｄの裏面になるので本来は隠れているが、説明の為に描写している。
【００４４】
図５の本願発明器具１は００４０項で述べたのと同様に空間を備えさせる挟持固定手段を用いるが、このような画用紙等の大きな掲示物８を掲示板７に固定する場合は図５の様に複数の本願発明器具１を用いる。
【実施例１】
【００４５】
図６は、本願発明器具１の基材２に複数（２か所）の折曲部（折り返し部分）４a、４ｂを備えた正面図を描いている。基材２は柔軟性を持つために複数の折曲部４ａ、４ｂが無くてもその機能は発揮できるが、複数の折曲部４ａ、４ｂがある事で、折曲げが容易になり、またその際において、かさばらないので外観上、見栄えが良くなる効果がある。尚、折曲部は、単数でも、３か所以上でも構わない。
【００４６】
また、基材２が透明性のある材料である場合、００２９項、００３０項、００３１項、００３２項で述べたように、画鋲を刺し込む際に穴の位置が視認され、前記穴に画鋲の針部６を正確に刺し込むことが可能になり、壁面等が美観を損なう傷跡（穴跡）を増やさない効果や外観を損ねない効果がある。
【実施例２】
【００４７】
図７は実施例２として、折曲部４ａ、４ｂを備えた基材２に、画鋲を２個貫通させた状態の側面図を示している。折曲部４ａ、４ｂで折り返した場合に、掲示物８の大きさにあわせて、固定する際に、表面に出る基材２の部分を大きくも小さくも調整することが出来る。画鋲は２個ではなく、単数の画鋲を図８で示す５a、５ｂの位置に刺しかえる事で掲示物８を固定する際に、表面に出る基材２の部分を大きくも小さくも調整することが出来ることは言うまでもない。
【実施例３】
【００４８】
図８は実施例３として、画鋲を２個貫通させた基材２に、磁石体３を複数備えた側面図を示している。掲示物８を固定する際の固定強度を増す事が出来る。
【実施例４】
【００４９】
図９は実施例４として、画鋲を２個貫通させた基材２に、長い形状の磁石体３を備えた側面図を示している。掲示物８を固定する際の固定強度を増す事が出来る。
【実施例５】
【００５０】
図１０は実施例５として、基材２に、長方形型のスリット部分９を備えた設けた本願発明器具１の正面図である。使用方法については以下に示す。
【００５１】
図１１は、掲示物８を掲示板７に固定するために、実施例５を使用している状態を示す斜視図である。画鋲針部６を基材２のスリット部分９に通し、掲示板７に刺し込んだ後、掲示物８を画鋲頭部５に被せ、基材２を折り曲げ、磁石体３で掲示物８を保持せんとする直前の状態を示している。
【００５２】
基材２に長方形型のスリット部分９を設けることにより、画鋲針部６を基材２の長方形型のスリット部分９に通して掲示板に刺し込んだ後でも、容易に基材２を移動させることができる。このスリット部分９により、掲示物８の上辺より上部外側に露出する基材２の長さを調整することができる。前記露出を最短にすることで、美観を保つことができるという効果がある。又、位置によって強度が増す。
【００５３】
つまり、小さい掲示物８の場合は、画鋲の位置がスリット部分９の上部になるように基材２の下部を引っ張るか又は、基材２の上部を押し下げる方法によって移動させて、前記掲示物８の上側に露出する基材２の露出部分を短くして、掲示物８の美感を損ねることを防ぐ効果がある。又、大きい掲示物８の場合は画鋲をスリット部分９の下部になるようにすれば、内側になる図４で示す空間アは大きくなり、掲示物８の隙間に挟まれる部分が多くなり、固定強度が高まる。
【００５４】
磁石体３が大きい場合や複数の場合、スリット部分９に複数の画鋲を挿入すれば、固定強度が増す。
【実施例６】
【００５５】
図２２は、金属等の柔軟性のない基材２(以下硬化基材２と表記)を用いた刺入部材補助具である。前記硬化基材２では、二つ折りに折り返すことは困難である。
この前記硬化基材２を用いた本願発明器具１においては、００４５項で述べた折曲部(折り返し部分)が必要となる。
【００５６】
この折曲部は００４５項で述べたように単数でも複数でも構わない。折り返しが出来る機能であればどのような構造でも構わない。一般的に折曲部のみ基材の厚みを薄くしたもの、あるいは細くしたものの他、折曲部のみ柔軟性のある素材に変えたり、さらには、蝶番を備えたものといったものでも構わない。
【実施例７】
【００５７】
図１２は、実施例７として、基材２の一方面に挟持機能部（基材２にＣ字状スリット１１）を備えた状態の正面図である。Ｃ字状スリット１１を入れることで舌片が形成される。これにより、薄膜状の紙片やプラスチックプレートが、挟持固定できるようになる。図１２におけるスリット１１は、Ｃ字状であるが、コの字状等、挟持固定が出来る形態であれば何でも構わない。この場合のＣ字状スリット１１は舌片を形成する為のものであり、実施例５で述べたスリット部分９とは別のものである。
【００５８】
図１３は、Ｃ字状スリット１１を備えた前記基材２のＣ字状スリット１１に、特別機能体であるプラスチックのネームプレート又は紙片１４を挟持している状態の図である。
【００５９】
特別機能体とは、美観を起こさせる外観を有することを特徴とする物品又は文字や記号を記入表示することができる物品、あるいは、その両方の特徴を有する物品であると定義する。美観を起こさせる外観を有することを特徴とする物品の一例が、図１７の特別機能体１５（マスコット）であり、その他の例としては、キャラクター、模様、図柄、写真、絵、シール、飾り物、風車等々である。文字や記号を表示することができる物品の一例が、特別機能体１４（プラスチックプレート又は紙片）である。図１３、図１４においては、一例として名前が記入されている。また図１５においては、金賞と記入されている。記入される内容は、掲示物によって様々なものが考えられるが、その他記入表示されるものの一例としては、二重丸記号、王冠の絵、ニコニコマークの絵文字、さらには、最重要、注目、掲示期間いついつまでといった文章等が考えられる。もちろん基材２本体に前記図柄等のペイントや文字の書入れを行う手段や、基材２の素材そのものに着色物（着物の端切れ等）を使うことで美観を有するという特別機能を備えさすことが可能となるのは言うまでもない。
【実施例８】
【００６０】
図１４においては、実施例８として、挟持機能部を基材２に備える他の一例を示している。クリップ１０を備え、特別機能体（プラスチックプレート又は紙片）１４を挟持固定している状態を表している。この様に、基材２の少なくとも一方に挟持機能部を備えさせることで、前記挟持部分に様々なものを挟み込むことが可能となる。
【実施例９】
【００６１】
実施例８では前記基材に挟持機能部を備えさせる例を記載したが、実施例９では前記基材２に貼り付け機能部を備えさせる例について説明する。
【００６２】
図１５、図１６、図１７は同じく貼り付け部分を備える一例であるが、もちろん前述している柔軟基材２でも良いが、これらの図では、００５３項で述べた硬化基材２が折り返し部分４を備えた本願発明器具１で表記いたしました。
【００６３】
実施例９として、図１５は、基材の磁石体３の反対側の一方面に貼り付け機能部を備える一例を示している。吸盤１２を備え、特別機能体（プラスチックプレート又は紙片）１４を貼り付けている状態の図である。
【００６４】
この様に、基材２の一方面に吸盤１２を備える事で、前記基材２に貼り付け機能部を備えさせ、これにより、特別機能体（プラスチックプレート又は紙片）１４を貼り付け固定する事が可能となる。
【００６５】
この様な硬化基材２の場合は、スリットがない場合は画鋲針が貫通できる穴２０が必要である。この穴は図１５、図１６で示す単数でも図１７で示す複数でも画鋲針が貫通できる機能を備えていれば構わない。もちろん、実施例７以降で示す図１２、１３．１４、１５における本願発明器具１においても、前記画鋲針が貫通できる穴２０を備えた硬化基材２を用いても構わない。又、基材２の全域に画鋲針を刺し込める機能を持つ本願発明器具１においても、前記画鋲針が貫通できる穴を備えていても構わない。
【００６６】
又、図１５における画鋲貫通用の穴２０はただ単に基材２に穴２０をあけたものであるが、図１６で表記するくぼみ穴２２は穴をくぼみ状にして、このくぼみ穴２２に画鋲頭部５が収納できるようにしている。この様にくぼみ穴２２に画鋲頭部５を収めると、基材２と画鋲頭部５が同一平面もしくは画鋲頭部５が陥没した状態になり、本願発明器具１を、いちいち折り返さなくても、磁石３と画鋲頭部５が吸着した状態であっても、その間に刺し込めば掲示物８の固定は完了する。
【００６７】
又、くぼみ穴２２の中にある画鋲貫通用の穴２０は、穴２０ではなくスリット９で形成しても構わないし、穴２０やスリット９がなくても画鋲針部６を貫通することが出来る機能（たとえば貫通できる薄い素材等）を備えた基材２であれば構わない。
【００６８】
この場合における磁石体３は板状でも良いが、球形や多角形等の立体的である方が、差し込みのみでの掲示物８の固定はより容易に行う事が可能となる。図１６ａは正面図を描いたが、補足図として図１６ｂでは図１６ａのＡ〜Ａ’における断面図を描いている。
【００６９】
又、図１６ａは、同じく貼り付け機能部を備える一例として、両面テープ保持プレート１３を備えた図である。この部分に両面テープの内側を貼り付け、その外側の粘着層に特別機能体熊のマスコット１５の写真を貼り付けた状態を図１７で示す。
【００７０】
実施例７や実施例８の様に前記基材が挟持機能部を持つ手段で特別機能体１４を固定した場合、図１３や図１４で示すように、特別機能体１４の外観を損ねる可能性がある、又、特別機能体１４が立体の場合においては、挟持機能部では固定することが難しい。このような立体物を固定する場合は、実施例９の図１５や図１６ａもしくは図１７で示した貼り付け機能部を備える方が好ましい。
【００７１】
最近では、ゆるキャラというキャラクターがブームであるが、本願発明器具１は、このような手段を用いる事で、立体的な特別機能体１５をアクセントに前記基材２に備えさせることが可能である。
【００７２】
磁石体３が基材２の先端付近の一方面に備えられたことを特徴する本願発明器具１において、磁石体３を備える基材２の他方面（反対側）に特別機能体１５を備えさせた場合、００１７項、００１８項で示す手段で基材２を二つ折りに折り返した場合、前記マスコット１５が掲示物８の前面（表面部分）に現れる。
【００７３】
これにより、掲示物８が固定される部分に、特別機能体１５の一例として、例えば熊やリス、りんごや、様々なキャラクターのマスコット等を特別機能体１５として、掲示物８の前面に出る基材２の表面に実現させることが可能になり、本願発明１は掲示物８の美感を損なうどころか、本願発明器具１自体が新たな外観（美観）をかもしだすことが可能となる。
【実施例１０】
【００７４】
実施例１０として、図１８において、本願発明器具１の前記基材２が、特別機能体１５（図１８においてはマスコット）を備え持つ事を特徴とする本願発明器具１について説明する。
【００７５】
図１８は、立体的な特別機能体１５を前記基材２に備え、本願発明器具１の折り返し部分を上部にした状態を表示している。
【００７６】
本願発明器具１は、図５の状態を００４３項で説明したように、前記折り返し部分を下にして掲示物８を支える手段を用いる場合があるが、図１８の特別機能体１５の配置では、前記折り返し部分を下にして用いた場合は、前記特別機能体１５は、上下が逆に視認される。
【００７７】
この、特別機能体１５が上下逆になる欠点を解消するためには、前記基材２が特別機能体１５を回転させることが出来る機能を備えさせればよい。つまり、前記特別機能体１５が回転するように作れば、どのような位置でも前記特別機能体１５を真っ直ぐにすることが出来る。
【００７８】
実施例１０において、前記基材２が特別機能体１５（図１８の場合はキャラクター）を回転させることが出来る機能について説明する。
【００７９】
回転という概念には、所定の角度でストッパー機能を持つ概念（ギアを組み込んだものが思い浮かぶが）と、風車の様にくるくると回る概念がある。
【００８０】
風車の様にくるくる回る機能は、ベアリングや、ジョイント部分の摩擦係数を少ない構造のものを作成すればよい。又、逆に所定の角度でストッパー機能を持たせるためには、ジョイント部分の摩擦係数を多くすればよい。
【００８１】
この回転機能を備えさせ手段において、基材に筒状の弾性体（ゴム管、ビニール管等の筒体１８）を備えさせた本願発明器具１を図１９で示す。
【００８２】
図１９の右方に描かれている特別機能体１５（図１９ではキャラクター）は裏面に軸１６を備えており、これを前記基材が備え持つ筒状の弾性体１８に挿入することで固定される。この技法で特別機能体１５のストッパー機能を備えた回転が可能となる。筒体１８は弾性でなくても良く、又、単なる筒体１８への刺しこみにした場合においても、前記キャラクター１５は差し替える事で、上下左右に視認される位置を変えることが可能となる。ギアを使う事で回転機能は実現できるがコスト的に高くなる。
【００８３】
図２０は、軸１６の先端に突起物１７を備えたものである。右方に描かれている特別機能体１５（図２０ではキャラクター）の裏面には末端に空洞を備えた軸１６を取り付けている。これを嵌めこむことで（いわゆるユニバーサルジョイント）で、前記特別機能体１５は回転が可能となる。
【００８４】
この場合の回転は、摩擦係数によりストッパー機能を持たせる仕様や、風車の様にくるくると回る仕様にすることが可能である。くるくると回る回転においてはベアリングを使う事で実現できるがコスト的に高くなる。
【実施例１１】
【００８５】
実施例１１として、図２１は、磁石体３に、軸１６を刺し込む手段で基材２に磁石体３を固定させたものである。前記基材２に固定させる場合の手段について、貼り付けによる固定ではない技法について説明する。
【００８６】
図２１は、基材２の先端付近を貫通させた軸１６で磁石体３を基材２に固定させた本願発明器具１の末端付近に、画鋲を刺し込んだ側面図である。
【００８７】
図２１では、磁石体３の中心が空洞になっており、基材２の反対側から軸１６の末端を貫通させ、前記磁石体３の穴に差し込むことで、磁石体３は基材２の一方面に固定される。更に前記軸の先端には連結用突起物１７が備えられている。前記連結用突起物１７に図２０で示す空洞状の嵌めこみ部分１９を嵌めこむことで、ユニバーサルジョイントが完成する。
【００８８】
図２０や図２１においては、本願発明器具１に突起物１７を備えているが、連結用突起物１７ではなく、空洞状の嵌め込み部分１９を備えさせ、特別機能体１５に突起物１７を備えた場合であっても、回転させる機能（ユニバーサルジョイント）が実現できることは言うまでもない。
【００８９】
又、軸１６の先端に連結用突起物１７を備えなくても、軸１６を筒状にした場合や、軸１６を貫通後に、筒状の部品（筒体１８）を嵌めこんで磁石体３を固定した場合においても、図１９で示すように、筒状の部材に刺し込まれた特別機能体１５が回転移動する事は可能となる。
【００９０】
もちろん、裏面に軸１６を備えさせた磁石体３を作成して、これを基材２に貫通させて反対側に、筒状の部品や、筒状の穴を備えた、特別機能体１５（この場合はキャラクターグッズ）を刺し込むことで、磁石体３の基材２への固定と同時に、特別機能体１５を基材２に備えさせることが可能となる。
【００９１】
このように、前記基材２が特別機能体１５を備え持つ事を特徴とする本願発明器具１を作成する際に、実施例１０で述べた手段を用いる事で、製造が簡素化される。
【００９２】
繰り返しになるが、実施例１０で述べた手段とは、前記基材２に固定させる場合の手段について、貼り付けによる固定ではない技法について述べたことである。
【００９３】
以上述べたような構造による効果に加え、図１、図２を見ていただければわかるように、本願発明器具１は、安価な材料を用いて単純な製造工程を用いて作成するという事を、その構成に備えている。
【実施例１２】
【００９４】
実施例５、６においては、単数の直線スリット（くり貫いた状態）を基材２が備えた効果を述べているが、実施例１２では複数又は変形のスリットの効果について説明する。
【００９５】
本願発明器具１の基材２の末端付近に切込み部分２１，２１´を入れて、掲示板７に画鋲針部６を刺し込んでいる画鋲の画鋲頭部５を前記切込み部分２１，２１´の間（基材２ａ）に挟み込み本願発明器具１を掲示板７に固定する。基材２の先端の磁石３とは反対側の末端部分において、切込み部分２１，２１´の間に存在する部分基材２ａと定義する。
【００９６】
図２４は００９５項の状態（図２３）における本願発明器具１の側面図である。切込み部分２１と２１´の下面で形成されたスリットを通過させた画鋲頭部５は、基材２ａと基材２に挟まれた状態になり、画鋲針部６は、基材２を貫通することなく、掲示板７に固定されている。  側面から見ればよくわかるが、前記切込み部分２１と２１´の間にある部分の基材２ａは、本願発明器具１を掲示板７に固定する際に、画鋲頭部５の上面を覆う機能がある。
【００９７】
図２５では、００９６項の状態から二つ折りにした本願発明器具１の側面図である。この実施例１２における磁石体３は００６８項で述べた球形や多角形等の立体的が望ましく、図２４、図２５、図２６においては半円形を用いている。
【００９８】
これによる効果は、００６６項で述べた効果と同様に、基材２ａと磁石体３との間に、画鋲頭部５による段差が無くなる事で、掲示物８を磁石体３と基材２ａの間に差し込むだけで掲示物８の固定は完了する。
【００９９】
この効果は００６６項で述べたように掲示物８(紙等)を固定するにおいて、本願発明器具１をいちいち折り返さなくても、画鋲頭部５の上面を覆う基材２´と磁石３との間に刺し込めば掲示物８の固定は完了する。前記スリット２１、２１´は所定間隔をあけて形成されるが本実施例では両者を平行で記載しているが、画鋲が入れば両者は平行ではなく角度を備えていても良い。又、掲示物８を差し込む反対側に更に縦方向のスリット９を入れて形成（コの字型）や掲示物８を差し込む反対側に開口するＣ型等、Ｕ型、角型等単数や複数でも、又、どのような形状であっても、掲示物８の差し込む側の画鋲頭部が基材２に覆われていれば、掲示物８を磁石体３と基材２ａの間に差し込むだけで前記固定は完了する。
【０１００】
図２６においては、切り込み部分２１を備えていない基材２において、磁石体３と画鋲頭部５が吸着している状態において、掲示物８を下から差し込もうとするも、掲示物８の先端が、画鋲頭部５と画鋲頭部下側の基材２の間に閊えてしまい、掲示できていない状況を示している。
【０１０１】
この状態においては、片手で基材２の磁石体３周辺を掴み、画鋲頭部５から磁石体３を
引き離しながら、もう一方の片手で持った掲示物８を画鋲頭部５の上面に置き直さなければならない為、両手を使うこととなる。
【０１０２】
切り込み部分２１を備え、且つ磁石体３と画鋲頭部５が吸着した状態の図２５においては、下方から、掲示物８を磁石体３と基材２ａの間に、割ってはいる形で、押し込める為、本願発明器具１に触れることなく掲示する事が可能となる。よって、掲示物を片手のみで持てば、両手を使うことなく片手のみでの掲示が可能となり、第３の課題である簡易作業で固定できるといった目的が達せられる。
【０１０３】
図２７は、基材２の中心部（点線の内側）においては柔軟性を持たせ、基材２の両端部には柔軟性を持たない基材２の正面図である。画鋲針部６が基材２を貫通できないので、画鋲針部６が貫通出来る穴２０が開けてある。図２８は、画鋲針部貫通用スリット９が開けられてある。
【０１０４】
図２９、図３０ともに、基材２は全域にわたって同じ素材でできているが、図２９で示すように、素材の厚みを変えることにより、また図３０で示すように、幅を変えることにより、柔軟性と硬化性いずれの部分も持たすことができる
【０１０５】
又、図３０において、基材２が狭まっている部分基材２ｂは、糸や布等の簡単に曲がるものでも構わない。
【０１０６】
最後に、基材２の画鋲を貫通させる部分と掲示物８を差し込む間の基材面に突起物２３を持つ事を特徴とする本願発明器具１と、基材２の画鋲を貫通させる部分と掲示物８を差し込む間の基材面に基材端部から画鋲を貫通させた方向にのぼり坂のスロープ２４を備えた事を特徴とする本願発明器具１を記載する。
【実施例１３】
【０１０７】
図３１では、基材２にＣの字状に突起物２３を備えさせている。これにより、画鋲頭部５を下面側から両側面部にかけて三日月状に突起物２３が覆い、下面、側面から掲示物８を差し込んだ場合は、突起物２３によって掲示物が滑り、画鋲頭部５に引っかからずに、容易に片手で掲示物８を刺しこめる。
【０１０８】
又、掲示物８を挿入する場合に、どの面においても引っかからないようにするためには。
図３３で示すように、突起物２３が画鋲頭部５の周りを円で囲む形状でも良い。
【０１０９】
更に、図３４では三方向に２３ａ、２３ｂ、２３ｃの突起物を備えている。突起物２３は単数でも複数でも良いが、画鋲頭部５を中心として多方面に備える方が、死角が無くなりどの側から掲示物８を差し込んでも画鋲頭部５に引っかからない。画鋲頭部５側に対して上り坂の傾斜をつけたり、半円形や球状とどのような形態であっても、掲示物の挿入を容易にする突起物であれば構わない。
【０１１０】
次に突起物ではなく、基材２の画鋲を貫通させる部分と掲示物８を差し込む間の基材面に基材端部から画鋲を貫通させた方向にのぼり坂のスロープ２４を備えた事を特徴とする本願発明器具１について図３５を用いて説明する。
【０１１１】
図３５では、基材端部から画鋲頭部５に向かってのぼり坂のスロープ２４を備えることで、
掲示物８の差し込みを容易にすることが出来る。このスロープ２４はもちろん図３５で示す下部のみではなく、左右でもどの方向でもよく、一方向の単数でも多方向の複数でも構わない。つまり掲示物８を差し込む側から画鋲頭部５に向かってスロープ２４を備えておればどのような形状でもよく、画鋲頭部を中心にスロープが取り囲む形状でも良い。図３６では、図３５の側面図を示す。
【０１１２】
スロープの形成において、基材２に新たな基材２´を取り付ける手段がある。又、基材２を折り曲げる手段もある。この場合は、基材２に下部や側面に長めにのりしろ部分を出しておいて、この基材ののりしろ部分を折り曲げることで、スロープは完成する。折り曲げられたのりしろの部分の末端付近は画鋲頭部におおい被せても良いし、末端部分を画鋲頭部と基材２の間に挟み込んでも構わない。
【０１１３】
本願発明の第３の課題である「掲示物を取り付けるにおいて、ただ単に掲示物を押し込む（容易に挟み込む）だけの簡易作業で固定できること」については、実施例１２に加え、００６６項で述べたくぼみ穴２２や、実施例１３で表記した突起物２３やスロープ２４の手段がある。
【０１１４】
尚、本願発明１は刺入部材補助具という名称であり、本願発明器具１を固定する例においては実施例では画鋲のみを表記しているが、画鋲のみならず磁石体３に貼りつく部分を備えた０００１項で述べたような刺入部材を用いることが可能であり、画鋲に限定されない。つまり、針部（ネジ部）に備え付けられた頭部が磁石体３に貼りつく性質を持つ場合においては前記の実施例に示す効果を持つ事が出来、シート類（掲示物８等）以外のテント類等の固定に利用できることは言うまでもない。
【０１１５】
又、画鋲では抜け落ちる可能性がある場合においても同様に前記ネジ２５を用いると抜け落ちが防止される。外部で風の強いところにテントシート等を固定する場合等は画鋲では無理であり、よりも強力な固定力のあるネジ２５、釘２６等が不可欠であり、前記ネジ２５、釘２６(単数又は複数)によりこの場合の刺入部材補助具は壁面に固定される。この場合は磁石体３も強力、複数、大きいものが必要となる。
【０１１６】
画鋲を刺入部材として用いない一例として述べるが、画鋲が貫通しない素材(家の外壁２７等)に本願発明器具１を固定する際にはスクリュータイプのネジ２５を用いて行うが、前記ネジ２５が磁石体３に貼りつく材質(機能)であれば前記実施例で述べた効果と同等の効果が得られる。
【実施例１４】
【０１１７】
図３７では、家の外壁２７等に本願発明器具１を固定する場合の例である。外壁２７に対する刺入部材としてネジ２５や釘２６が本願発明器具１を固定する為に用いられる。通常はタッピンネジやドリルネジが用いられるが、外壁２７が貫通する穴を備えた場合はボルトネジを用いることが出来る。又、他方面には木材３１に対する刺入部材としてネジ２５が本願発明器具１を固定する為に用いられる。この場合も、木材３１が貫通する穴を備えた場合はボルトネジを用いることが出来る。前記他方面の固定は  木材３１は一例で、金属、プラスチック等のその他素材でもよく、又、地面３０に直に刺入部材によって本願発明器具１が固定されても構わない。
【０１１８】
前記外壁２７に固定された本願発明器具１と前記木材３１に固定された本願発明器具１に日よけシート３２を挟み込むことで前記日よけシート３２の固定が完了する。前記日よけシート３２の代わりにデザインや広告の入ったシートを用いても良い。もちろん外壁２７でなく内壁に本願発明器具１を前記刺入部材で固定しても構わない。
【実施例１５】
【０１１９】
この様に画鋲を刺入部材として用いなくても刺入部材が磁石体３に貼りつく素材であれば構わない。画鋲以外の刺入部材を用いる手段の、もう一例だけ図３８で説明する。
【０１２０】
庭やキャンプ等で床シート３３を固定する場合は、床シート３３の穴に釘２６を打ち込むが、本願発明器具１を釘やドリルネジで地面に固定して、前記床シート３３を挟み込めば床シート３３の地面３０への固定が完了する。頻繁に、庭等で床シート３３を固定する場合は、毎回、床シート３３を釘２６等で固定する必要が無くなる。又、テント上面シート３４の下部を床シート３３に加えて本願発明器具１に挟み込んでの固定も可能である。
【０１２１】
この場合、図３９で示すように本願発明器具１の磁石体３の反対側にあたる基材の裏側に別の基材２´を備え前記基材２´に金属体３５及び磁石体３を備えさせた場合、下方（地面側）本願発明器具１に前記床シート３３を固定し、その上部に備える磁石体３もしくは金属体３５に挟む方法もある。
【符号の説明】
【０１２２】
１    本願発明器具
２    基材
３    磁石体
４    折り返し部
５    画鋲頭部      
６    画鋲針部
７    掲示板
８    掲示物
９    スリット部分
１０  クリップ
１１  Ｃ字状スリット
１２  吸盤
１３  両面テープ保持プレート（両面テープを貼れるプレート）
１４  特別機能体（プラスチックプレート又は紙片等）
１５  特別機能体（マスコット又はキャラクター等）
１６  軸
１７  連結用突起物
１８  筒体（筒状の弾性体）
１９  空洞状の嵌め込み部分
２０  画鋲針が貫通できる穴
２１  切込み部分
２２  くぼみ穴
２３  突起物
２４  スロープ
２５  ネジ
２６  釘
２７  外壁
２８  窓
２９  屋根
３０  地面
３１  木材
３２  日よけシート
３３  床シート
３４  テント上面
３５  金属体
【要約】
【課題】
本願発明は刺入部材を使って、掲示物を掲示板に固定するときに、大切な掲示物を傷めることなく、又美観を損なうことなく更に簡易作業で固定が完了することを課題とする。又、掲示物以外のシート類、テント類においても上記課題を果たすためのさまざまな機能を持つ事を課題とする。  
【解決手段】
刺入部材の貫通が可能である基材が磁石体を備え、その基材にスリット、又は挟持機能や貼り付け機能、そして更にくぼみを備えさせる事に加え折曲部や柔軟性を備えさせることで、さまざまな機能を備えたことを特徴とする刺入部材補助具を作成する。
【選択図】図１０【図１】
0005798274.tif 000002
【図２】
0005798274.tif 000003
【図３】
0005798274.tif 000004
【図４】
0005798274.tif 000005
【図５】
0005798274.tif 000006
【図６】
0005798274.tif 000007
【図７】
0005798274.tif 000008
【図８】
0005798274.tif 000009
【図９】
0005798274.tif 000010
【図１０】
0005798274.tif 000011
【図１１】
0005798274.tif 000012
【図１２】
0005798274.tif 000013
【図１３】
0005798274.tif 000014
【図１４】
0005798274.tif 000015
【図１５】
0005798274.tif 000016
【図１６】
0005798274.tif 000017
【図１７】
0005798274.tif 000018
【図１８】
0005798274.tif 000019
【図１９】
0005798274.tif 000020
【図２０】
0005798274.tif 000021
【図２１】
0005798274.tif 000022
【図２２】
0005798274.tif 000023
【図２３】
0005798274.tif 000024
【図２４】
0005798274.tif 000025
【図２５】
0005798274.tif 000026
【図２６】
0005798274.tif 000027
【図２７】
0005798274.tif 000028
【図２８】
0005798274.tif 000029
【図２９】
0005798274.tif 000030
【図３０】
0005798274.tif 000031
【図３１】
0005798274.tif 000032
【図３２】
0005798274.tif 000033
【図３３】
0005798274.tif 000034
【図３４】
0005798274.tif 000035
【図３５】
0005798274.tif 000036
【図３６】
0005798274.tif 000037
【図３７】
0005798274.tif 000038
【図３８】
0005798274.tif 000039
【図３９】
0005798274.tif 000040